(57)【要約】【課題】農産物、水産物、又は動植物その他の、工業生産されない物品に付された物品に関する物品情報を効率良く集計する。【解決手段】本発明のある態様は、農産物、水産物、又は動植物その他の、工業生産されない物品に付された物品に関する物品情報を集計する情報処理システムである。物品情報は、物品の種別を特定する種別情報と、物品の提供者を特定する提供者識別情報とを含むコード、および、物品に対する複数段階の評価結果のうちいずれかの段階の評価結果に対応する位置に付されたマークを有する評価情報を備える。情報処理システムは、物品に付された物品情報を読み取る読取装置と、読取装置によってコードから読み取られた種別情報および提供者識別情報と前記評価情報を関連付けて記録する情報処理装置と、を備える。【選択図】図７
2018142255.tif 000002
【特許請求の範囲】
【請求項１】
農産物、水産物、又は動植物その他の、工業生産されない物品に付された物品に関する物品情報を集計する情報処理システムであって、
前記物品情報は、前記物品の種別を特定する種別情報と、前記物品の提供者を特定する提供者識別情報とを含むコード、および、前記物品に対する複数段階の評価結果のうちいずれかの段階の評価結果に対応する位置に付されたマークを有する評価情報を備え、
前記情報処理システムは、
前記物品に付された前記物品情報を読み取る読取装置と、
前記読取装置によって前記コードから読み取られた種別情報と、提供者識別情報と、前記評価情報とを関連付けて記録する情報処理装置と、を備えた、
情報処理システム。
【請求項２】
前記物品情報は、ラベルに付されている、
請求項１に記載された情報処理システム。
【請求項３】
前記ラベルには、前記複数段階の評価結果に対応する文字又は記号が印字されている、
請求項２に記載された情報処理システム。
【請求項４】
前記マークは、前記ラベルに印字されている前記種別情報および前記提供者識別情報の色とは異なる色で付されている、
請求項１ないし３のいずれかに記載された情報処理システム。
【請求項５】
農産物、水産物、又は動植物その他の、工業生産されない物品に関する物品情報を集計する情報処理方法であって、
前記物品の種別を特定する種別情報と、前記物品の提供者を特定する提供者識別情報とを含むコードと、前記物品に対する複数段階の評価結果のそれぞれに対応する位置に各段階の評価結果に対応する文字又は記号とが印字されたラベルを発行し、
前記複数段階の評価結果のうちいずれかの段階の評価結果に対応する位置にマークが付された状態で前記ラベルが貼付された前記物品を、読取装置に向けて配置し、
前記読取装置が、前記物品に貼付されたラベルの前記コードおよび前記マークの位置を読み取り、
情報処理装置が、前記読取装置によって読み取られた前記コードおよび前記マークの位置に基づいて、前記物品の種別情報と、提供者識別情報と、前記マークの位置に対応する段階の評価結果としての評価情報とを関連付けて記録する、
情報処理方法。
【発明の詳細な説明】
【技術分野】
【０００１】
本発明は、農産物、水産物、又は動植物その他の、工業生産されない物品に付された物品に関する物品情報を集計する技術に関する。
【背景技術】
【０００２】
従来から、物品を集荷あるいは出荷する場合に、当該物品の情報をラベルに印字し、当該物品を収納したダンボール箱等の容器に貼付することが行われている（例えば、特許文献１）。
特許文献１には、農作物の品目、品種、等級、階級、数量、生産者名等の情報が印字されたラベルを、農作物入りダンボール箱に貼付することが記載されている。
【先行技術文献】
【特許文献】
【０００３】
【特許文献１】特開２００５−０５５７１１号公報
【発明の概要】
【発明が解決しようとする課題】
【０００４】
ところで、従来、物品を集荷あるいは出荷する場合には、等級や階級（以下、総称して「等階級」という。）といった物品の評価情報を予めラベルに印字しないことがある。例えば、生花や青果を生産者が流通業者等に出荷する場合、生産者が等階級に応じたラベルを生産現場で発行するのは煩雑であるため、生産者は予めラベルを用意し、ラベル上に等階級に応じたマーキングを施すことがある。しかしその場合、物品の集荷あるいは出荷の情報を集計する際に、オペレータがラベル上のマーキングを目視して等階級の情報を端末に入力する必要が生じるため、集計処理に手間取るという問題がある。
【０００５】
そこで、本発明は、農産物、水産物、又は動植物その他の、工業生産されない物品に付された物品に関する物品情報を効率良く集計することを目的とする。
【課題を解決するための手段】
【０００６】
本発明のある態様は、農産物、水産物、又は動植物その他の、工業生産されない物品に付された物品に関する物品情報を集計する情報処理システムである。前記物品情報は、前記物品の種別を特定する種別情報と、前記物品の提供者を特定する提供者識別情報とを含むコード、および、前記物品に対する複数段階の評価結果のうちいずれかの段階の評価結果に対応する位置に付されたマークを有する評価情報を備える。
前記情報処理システムは、
前記物品に付された前記物品情報を読み取る読取装置と、
前記読取装置によって前記コードから読み取られた種別情報と、提供者識別情報と、前記評価情報とを関連付けて記録する情報処理装置と、を備える。
【発明の効果】
【０００７】
本発明によれば、農産物、水産物、又は動植物その他の、工業生産されない物品に付された物品に関する物品情報を効率良く集計することができる。
【図面の簡単な説明】
【０００８】
【図１】実施形態においてラベルを発行するときのシステム構成を示す図である。
【図２】実施形態に係るシステムのブロック図である。
【図３】登録生産者データベースのデータ構成の例を示す図である。
【図４】ラベル発行処理を示すフローチャートである。
【図５】図５Ａおよび図５Ｂはそれぞれ、情報処理装置に表示される画面例を示す。
【図６】図６Ａは発行直後のラベルの印字例を示す図であり、図６Ｂは図６Ａに示すラベルにおいてマークが付された場合を示す図である。
【図７】実施形態において物品の情報を集計するときのシステム構成を示す図である。
【図８】生産実績データベースのデータ構成の例を示す図である。
【図９】集計処理を示すフローチャートである。
【図１０】ラベルの画像から物品の評価結果の情報を取得する原理を説明する図である。
【図１１】ラベルの再発行の手順を示す図である。
【発明を実施するための形態】
【０００９】
本開示において、「工業生産されない物品」とは、工業生産によって比較的一定の品質が得られる製品とは異なり、農産物、水産物、又は動植物等、一定の品質とすることができない物品を意味する。例えば、農産物には青果物（野菜、果物等）、生花、あるいは畜産物（牛肉、鶏肉等）が含まれ、水産物には魚介（魚類、貝類など）等が含まれる。動植物は、動物および植物を含む。
本開示において、「物品の提供者」とは、物品の生産者はもとより、生産者から譲り受けた物品を第三者に提供する提供者（例えば、物品の仲介業者等）をも含む。
本開示において、「物品に情報を付す」とは、物品自体、若しくは物品を含む容器に、情報が記載された媒体を取り付けることを意味する。ここで、媒体に対する情報の記載方法は、媒体に対する印字、筆記具を利用した媒体への記入、あるいは、特定の情報を示すシールの媒体への貼付等、多様な態様を採りうる。媒体は、例えば紙、布、フィルム等の材料であってもよく、その大きさは問わない。媒体の取り付け方法は、媒体の貼付、媒体の紐付け等、様々な態様がありうる。
「物品の種別」とは、物品の種類を識別するための情報を意味し、例えば、物品の名称、呼称、品種、形式、ブランド名などが挙げられる。
「マークを付す」とは、マークを筆記具で記す場合に限られず、マークが記載されたシールを貼付する場合や、マークに対応する印を押す場合等も含まれる。
「情報を読み取る」とは、情報を取得することを意味し、当該情報がコード化されていた場合、当該情報のデコードの実行の是非は問わない。例えば、情報が二次元コードである場合、「情報を読み取る」ことは、当該二次元コードの画像を取得すれば足り、当該二次元コードをデコードして人が認識可能な情報に変換することをさらに含んでもよいし含まなくてもよい。
【００１０】
以下、本発明の一実施形態に係る情報処理システムについて説明する。
本実施形態では、ラベルを発行するときの情報処理システムであるラベル発行システムと、物品の情報を集計するときの情報処理システムである自動集計システムとが設けられている。
以下の説明では、物品として生花のバラを例として説明する。
【００１１】
（１）ラベル発行システムの全体構成
本実施形態においてラベル発行システムは、例えば、生産者の最寄の流通業者に設置されている。生産者は自ら生産したバラを流通業者に出荷する前に、流通業者に設置されているラベル発行システムを利用してラベルを発行する。
【００１２】
先ず、図１〜３を参照してラベル発行システム１Ａについて説明する。図１は、ラベル発行システム１Ａのシステム構成を示す図である。図２は、ラベル発行システム１Ａのブロック図である。なお、図２は、後述する自動集計システムをも統合した状態のブロック図となっており、ラベル発行システム１Ａ単独としては、撮像装置５は必要ない。図３は、登録生産者データベースのデータ構成の例を示す図である。
【００１３】
図１に示すように、ラベル発行システム１Ａは、情報処理装置２、ラベルプリンタ３、および、リーダ４を有する。情報処理装置２とラベルプリンタ３は通信可能に接続され、情報処理装置２とリーダ４は通信可能に接続されている。図２ではそれぞれ有線で接続される例が示されるが、その限りではなく、無線通信可能に構成されていてもよい。
生産者カード６は、バラの生産者に付与あるいは貸与されているカードである。生産者カード６には、生産者が予め登録したバラの品種である登録品種を特定する登録品種情報と、バラの生産者を特定する生産者情報（生産者ＩＤおよび生産者名）とを含む図示しないＱＲコード（登録商標）等の二次元コードが表示されている。バラの品種は物品の種別の一例であり、生産者名は提供者識別情報の一例である。生産者情報は提供者識別情報の一例である。
なお、生産者カード６にはバーコードが表示されたカードでもよいし、ＲＦＩＤタグが内蔵されているカードでもよい。リーダ４は、生産者カード６の情報の記録形式に応じて適宜構成すればよい。
【００１４】
ラベルプリンタ３は、ラベルを印字するためのプリンタである。
リーダ４は上面に読み取り部４１を備え、生産者カード６が読み取り部４１に生産者カード６をかざしたときに、生産者カード６に表示されている二次元コードを読み込む。リーダ４は、読み込んだ二次元コードに含まれている登録品種情報と生産者情報とを関連付けて情報処理装置２へ送信するように構成されている。
【００１５】
情報処理装置２は、例えばパーソナルコンピュータ、タブレット端末、あるいはスマートフォン等である。図２に示すように、情報処理装置２は、制御部２０と、記憶部２１と、操作入力部２２と、表示部２３と、通信インタフェース２４とを備える。操作入力部２２は、好ましくはタッチパネル２２ａに対するタッチ入力を受け付けるが、他の入力手段による入力を受け付けてもよい。
制御部２０は、マイクロプロセッサ、ＲＯＭ（Read Only Memory）、ＲＡＭ（Random Access Memory）を備え、記憶部２１に記録されているアプリケーションプログラムをＲＡＭにロードして、ラベル発行処理を実行する。表示部２３は例えば液晶表示パネルを含み、ラベル発行処理による実行結果を表示する。通信インタフェース２４は、ラベルプリンタ３とリーダ４と通信を行うためのインタフェース回路を含む。
【００１６】
記憶部２１はフラッシュメモリ等の不揮発性メモリから構成され、図３に例示する登録生産者データベースを記録する。ラベル発行システム１Ａでは、生産者が予め自ら生産するバラの品種を登録する。図３に示す例では、登録生産者データベースのレコードは、生産者ＩＤ、生産者名、および登録品種の各フィールドを含む。図３に示す例では、生産者である「佐藤太郎」およびその生産者ＩＤと、登録品種として「ジャルダン・デ・ラクネイー」を含む４品種のバラの品種とが対応付けて記録されている。
【００１７】
（２）ラベル発行処理
次に、図４および図５を参照してラベル発行処理について説明する。図４は、ラベル発行処理を示すフローチャートである。図５Ａおよび図５Ｂはそれぞれ、ラベル発行処理を実行した結果、情報処理装置に表示される画面例を示す。
ラベル発行処理は、生産者が生産者カード６をリーダ４にかざすことにより開始される。すなわち、情報処理装置２の制御部２０は、リーダ４から生産者カード情報（つまり、物品の登録品種を特定する登録品種情報および生産者情報（生産者ＩＤおよび生産者名））を、通信インタフェース２４を介して受信すると（ステップＳ１０：ＹＥＳ）、生産者の登録品種を特定する（ステップＳ１２）。すなわち、制御部２０は、受信した生産者名および生産者ＩＤの少なくともいずれか一方の情報をキーとして登録生産者データベース（図３参照）を検索し、生産者名に対応する登録品種を特定する。次いで制御部２０は、特定した登録品種を選択可能な状態で表示する画面を生成して出力する（ステップＳ１４）。当該画面の例が図５Ａの画面Ｇ１１である。
【００１８】
画面Ｇ１１においてタッチパネル２２ａに対する生産者のタッチ入力によりいずれかの登録品種が選択されると（ステップＳ１６：ＹＥＳ）、ラベル発行枚数の入力画面を生成して出力する（ステップＳ１８）。当該入力画面の例が図５Ｂの画面Ｇ１２であり、生産者が画面上のテンキー等を操作してラベル発行枚数を入力できるように構成されている。
画面Ｇ１２においてラベル発行枚数が入力された場合（ステップＳ２０：ＹＥＳ）、制御部２０は、ステップＳ１０で受信した生産者情報と、ステップＳ１６で選択された登録品種物品についての品種情報とを含むＱＲコード（登録商標）等の二次元コードを生成し、当該二次元コードを含む印字データを生成する。制御部２０は、通信インタフェース２４を介してラベルプリンタ３へ印字データとステップＳ２０で入力されたラベル発行枚数のデータを送信する（ステップＳ２２）。品種情報は、種別情報の一例である。
【００１９】
ラベルプリンタ３は、受信した印字データとラベル発行枚数のデータに基づいて、ラベル発行枚数のラベルを印字（発行）する。ラベルプリンタ３は、帯状の台紙上に予め決められた間隔毎に複数枚のラベルが仮着された状態でラベルを発行することが好ましい。その場合、ラベルの裏面には粘着剤が塗布されており、台紙のラベル貼付面にはラベルを容易に剥離させることが可能なようにシリコーン等の剥離剤が被覆されている。このようにラベルを発行することで、生産者はラベル発行場所（本実施形態の例では、流通業者）からラベル貼付場所である生産現場までラベルを輸送させやすく、また、生産現場で物品（後述するバラの容器）にラベルを貼付させるのが容易となる。
【００２０】
ラベル発行処理によってラベルプリンタ３により印字されるラベルＬの例を図６Ａに示す。
図６Ａに例示するラベルＬには、右上部に二次元コード１００が印字されている。また、当該ラベルＬの第１行１０１には生産者の名称（提供者識別情報の一例）、第２行１０２には生産者によって選択された登録品種、第３行１０３には等級の選択肢、第４行１０４には階級の選択肢、第５行１０５には本数の選択肢がそれぞれ印字されている。等級の選択肢（「秀」，「優」）又は階級の選択肢（「３０ｃｍ」，「４０ｃｍ」，「５０ｃｍ」，「６０ｃｍ」，「７０ｃｍ」）は複数段階の評価結果の一例である。等級の選択肢および階級の選択肢は、後述するように生産者が後で、いずれかの等級およびいずれかの階級にマークを付すための部分である。
第１行１０１に印字される情報はステップＳ１０で受信した情報である生産者情報であり、第２行１０２に印字される情報はステップＳ１６で選択された登録品種情報である。二次元コード１００は、第１行１０１に印字される生産者情報と、第２行１０２に印字される登録品種情報とを含むコードである。なお、第１行１０１に印字される生産者情報としては、生産者名又は生産者ＩＤの少なくともいずれか一方でよい。
【００２１】
（３）生産者による物品の出荷作業
流通業者に設置されているラベル発行システムを利用してラベルを発行した後、生産者はバラの流通業者への出荷（納品）のために、ラベルを生産現場に持ち帰る。
生産者による出荷作業は、生産者がバラを評価した結果、同一の等級および同一の階級のバラを同一の容器（例えば、ダンボール箱等）に収納するようにして行われる。そして、生産者は、容器内のバラの等級および階級に対応するラベル上の位置にマークを付し（つまり、マーキングを行い）、当該容器の外表面の所定の位置にラベルを貼付する。
【００２２】
例えば、「優」の等級および「４０ｃｍ」の階級である４０本のバラを容器に収納した場合の、ラベルＬ上のマーキング例を図６Ｂに示す。この例では、第３行１０３の「優」の文字に円形のマークＭ１が付され、第４行１０４の「４０ｃｍ」の文字に円形のマークＭ２が付され、第５行１０５の「４０本」の文字に円形のマークＭ３が付されている。
マークＭ１又はマークＭ２は、評価情報の一例である。マークＭ１又はマークＭ２が付された状態のラベルに含まれる情報は、物品情報の一例である。
【００２３】
ラベルへのマーキングは、例えばペン、鉛筆、万年筆、蛍光ペン等の筆記具による手書きによって付されたものでよいため、生産者は、準備したラベルにマーキングを施すことで容易に物品情報を容器に付すことができる。
マークは、後述するように、ラベル上の位置に基づいて光学的に読み取られるため、図６Ｂに示すような正確な円である必要はなく、また、その形状も適宜設定することができる。例えば、×印、三角形のマーク、若しくはチェックマーク（所謂レ点）等の他の図形からなるマークであってもよい。
【００２４】
上述した等階級の決定は、生産現場における生産者による熟練した目視評価に依存する場合があるため、等階級の情報を予めラベルに印字し、あるいは二次元コードに組み込んでおくことは困難である。そこで、生産者が等階級の情報を後からラベルに筆記具で記すことで、容器に収納されたバラの内容物に対応する物品情報を含むラベルを効率的に生成することができる。
【００２５】
生産者は、ラベルにマーキングを付した後、当該マーキングに対応するバラが収納された容器に当該ラベルを貼付し、流通業者へ出荷する。
【００２６】
（４）自動集計システムの全体構成
本実施形態において自動集計システムは、例えば、生産者の最寄の流通業者に設置されている。自動集計システムでは、生産者から集荷した物品（本実施形態の例では、バラ）に貼付されたラベルに基づいて、集荷した物品を集計する。上述したように、当該ラベルにはマーキングが施されている。
【００２７】
図２、図７を参照してラベル発行システム１Ａについて説明する。図２は、自動集計システム１Ｂのブロック図である。図７は、自動集計システム１Ｂのシステム構成を示す図である。図２は、前述したラベル発行システム１Ａをも統合した状態のブロック図となっており、自動集計システム１Ｂ単独としては、ラベルプリンタ３、リーダ４、および生産者カード６は必要ない。
なお、ラベル発行システム１Ａで使用される情報処理装置２と、自動集計システム１Ｂで使用される情報処理装置２とは同一の装置でもよいし、別の装置でもよい。
【００２８】
図７に示すように、自動集計システム１Ｂは、情報処理装置２および撮像装置５を備える。図２に示すように、自動集計システム１Ｂにおいて、情報処理装置２の通信インタフェース２４（図２参照）は、撮像装置５と通信を行うためのインタフェース回路を含む。情報処理装置２の記憶部２１には、生産実績データベースを記録する。
生産実績データベースは、各生産者から集荷したバラの情報を集計したデータベースである。生産実績データベースの一例を図８に示す。図８に示す例では、生産実績データベースのレコードは、日時、生産者名、品種、等級、階級の各フィールドを含む。
【００２９】
図７に示す例では、複数の容器１０がコンベア５０によって順次輸送される。容器１０は各生産者によって出荷されてきたバラが収納されており、図６Ｂに例示したようなラベルが容器１０に貼付されている。コンベア５０上の容器１０は、図７のＥ部拡大図に示すように、貼付されたラベルＬが撮像装置５に向くように配置されている。
【００３０】
撮像装置５は読取装置の一例であり、例えばデジタルスティルカメラ、イメージスキャナである。
撮像装置５は、各容器１０のラベルＬの画像を取得し、取得した画像のデジタルデータ（画像データ）を生成して情報処理装置２へ送信する。
情報処理装置２の制御部２０は、撮像装置５から受信した画像データを解析することによって、ラベルＬに含まれる二次元コードに基づいて生産者情報と容器１０内のバラの品種情報を特定する。さらに制御部２０は、当該画像データを解析することによって、ラベルＬに付されたマークの位置に基づき、容器１０内のバラの等級および階級を特定する。
【００３１】
（５）自動集計処理
次に、図９を参照して自動集計処理について説明する。図９は、自動集計処理を示すフローチャートである。
図９において、情報処理装置２が撮像装置５から新しいラベルＬを含む画像データを取り込んだ場合（ステップＳ３０：ＹＥＳ）、ステップＳ３２以降の処理を行う。なお、撮像装置５によって取り込まれる画像にはラベルＬ以外の背景画像（例えば、容器１０の外表面の画像）も含まれるが、情報処理装置２の制御部２０は、取り込んだ画像からラベルＬの画像データのみを抽出する処理を行う。例えば、ラベルＬの領域を画定する外枠のラインを認識し、当該外枠内の画像データのみを抽出することができる。以下の説明では、画像データとはラベルＬの画像データを意味する。
【００３２】
制御部２０は、画像データに含まれる二次元コードを解析する（ステップＳ３２）。この解析によって、当該二次元コードに含まれる、生産者情報（生産者名又は生産者ＩＤの少なくともいずれか一方でよい）と容器１０内のバラの品種情報とが特定される。さらに制御部２０は、ステップＳ３０で取り込んだ画像データを解析することによって、ラベルＬに付されたマークの位置に基づき、容器１０内のバラの等級および階級を特定する（ステップＳ３４）。
【００３３】
ここで、ラベル上のマークの位置に基づく等級および階級の特定方法について、図１０を参照して説明する。図１０は、ラベルの画像から物品であるバラの等階級の情報を取得する原理を説明する図であり、ラベルＬの長辺をＸ軸とし、短辺をＹ軸とした座標系でラベルＬの領域を表している。
【００３４】
図１０において、座標（Ｘ１，Ｙ２），（Ｘ７，Ｙ２），（Ｘ１，Ｙ３），（Ｘ７，Ｙ３）によって画定される（囲まれる）領域Ｒ１１が、バラの等級である第３行１０３の「秀」（図６参照）の位置に対応する。
座標（Ｘ７，Ｙ２），（Ｘ８，Ｙ２），（Ｘ７，Ｙ３），（Ｘ８，Ｙ３）によって画定される領域Ｒ１２が、バラの等級である第３行１０３の「優」（図６参照）の位置に対応する。
座標（Ｘ１，Ｙ１），（Ｘ２，Ｙ１），（Ｘ１，Ｙ２），（Ｘ２，Ｙ２）によって画定される領域Ｒ２１が、バラの階級である第４行１０４の「３０ｃｍ」（図６参照）の位置に対応する。
座標（Ｘ２，Ｙ１），（Ｘ３，Ｙ１），（Ｘ２，Ｙ２），（Ｘ３，Ｙ２）によって画定される領域Ｒ２２が、バラの階級である第４行１０４の「４０ｃｍ」（図６参照）の位置に対応する。
座標（Ｘ３，Ｙ１），（Ｘ４，Ｙ１），（Ｘ３，Ｙ２），（Ｘ４，Ｙ２）によって画定される領域Ｒ２３が、バラの階級である第４行１０４の「５０ｃｍ」（図６参照）の位置に対応する。
座標（Ｘ４，Ｙ１），（Ｘ５，Ｙ１），（Ｘ４，Ｙ２），（Ｘ５，Ｙ２）によって画定される領域Ｒ２４が、バラの階級である第４行１０４の「６０ｃｍ」（図６参照）の位置に対応する。
座標（Ｘ５，Ｙ１），（Ｘ６，Ｙ１），（Ｘ５，Ｙ２），（Ｘ６，Ｙ２）によって画定される領域Ｒ２５が、バラの階級である第４行１０４の「７０ｃｍ」（図６参照）の位置に対応する。
【００３５】
等級および階級の特定するために制御部２０は、基準画像データ（例えば図６Ａに示すように、マークが付されていないラベルに対応する画像データ）と、ステップＳ３０で取り込んだ画像データ（取得画像データ）との差分処理を行い、差分が大きい領域についてマークが付されていると判断する。差分処理の具体的な手法は特定の手法に限定されないが、例えば、取得画像データと基準画像データの画素値の差分値が所定の閾値以上である場合には「１」とし、当該閾値未満である場合には「０」とするようにして２値化処理を行うことによって、マークの付された領域を特定する。
【００３６】
なお、ラベルＬに付されるマーク（図６ＢのマークＭ１，Ｍ２等）は、予めラベルＬに印字されている生産者および品種の色（「印字色」という。）とは異なる色（例えば、赤色）で付されていることが好ましい。その場合には、取得画像データと基準画像データの差分処理を行わず、取得画像データのみに基づいてマークが付された領域を特定することができ、より確実に等級および階級を特定できる。例えば、印字色が黒色であり、マークが赤色で付されている場合、取得画像データの各領域の画素値のＲ成分の有無を所定の閾値に基づいて判断することでマークが付されている領域を特定できる。
【００３７】
図９の説明に戻る。
ステップＳ３２において生産者情報とバラの品種情報を特定し、ステップＳ３４においてバラの等級および階級を特定した後、制御部２０は、特定した情報を新しいレコードとして生産実績データベースへ書き込む（ステップＳ３６）。すなわち、生産実績データベース（図８参照）の新しいレコードの「日時」のフィールドにはステップＳ３６の書き込み時刻が記録される。新しいレコードの「生産者名」と「品種」の各フィールドには、それぞれ、ステップＳ３２で特定された生産者情報と品種情報が記録される。新しいレコードの「等級」と「階級」の各フィールドには、それぞれ、ステップＳ３４で特定された等級と階級が記録される。なお、生産実績データベースでは、「生産者名」フィールドに代えて、あるいはそれに加えて「生産者ＩＤ」フィールドを設けてもよい。
【００３８】
以上説明したように、本実施形態の自動集計システム１Ｂでは、コンベア５０を流れる容器１０に貼付されているラベルの画像に基づき、生産者から集荷したバラの物品情報が順次特定され、生産実績データベースに記録、蓄積される。そのため、オペレータが等階級の情報を端末に入力する必要がないことから、容器１０に貼付されているラベルに含まれる物品情報を効率良く集計することができる。
本実施形態において物品としてバラを例示したように、一般に、農産物、水産物、又は動植物その他の、工業生産されない物品を流通させる場合、物品の品質が１個ずつ異なることから、各物品の評価には人による官能評価が必要となる場合が多い。そのため、物品のラベルを作成する段階においてラベル上に予め物品に対する評価結果を印字することは困難である。特に、本実施形態のようにラベルの発行場所を多くの生産者が利用する１箇所に集中させ、各生産者の生産場所（つまり、物品の場所）がラベルの発行場所から離れている場合は尚更である。そこで本実施形態では、物品情報を含むラベルのうち、物品の評価情報を除く情報をラベルに印字しておき、物品の評価情報をラベルの発行後に筆記具で生産者が書き込むことができるように構成した。そのため、生産者は発行場所において所望の枚数のラベルのみを発行すれば足りる。物品の評価情報が書き込まれ、物品に付されたラベル（つまり、物品情報を含むラベル）は集荷場所で読取装置によって読み取られ、各物品の物品情報が集計される。よって本実施形態では、個々の評価が必要となる物品を出荷する場合の生産者（あるいは仲介業者）の利便性と、当該物品を集荷するときの物品情報の集計処理の効率性とを両立させることができる。
なお、図示しないが、制御部２０がアプリケーションプログラムを実行することで、操作入力部２２からの入力に応じて生産実績データベースを検索可能とし、検索結果を表示部２３に表示するように構成されることが好ましい。
【００３９】
（６）ラベルの追加発行
生産者が流通業者に設置してあるラベル発行システム１Ａを利用してラベルを発行する場合について説明したが、その限りではない。発行したラベルを紛失した場合、発行したラベルの枚数が足りないことが生産現場で分かり、追加でラベルを発行したい場合、あるいはラベル上に付与したマーク色が薄く、読み取れない場合がありうる。そのような場合、生産現場でラベルを追加発行できれば便利である。
ラベルの追加発行の一例を図１１に示す。図１１は、ラベルの追加発行の手順を示す図である。
図１１に示すように、ラベルＬの追加発行に当たって、例えば生産者は、ハンディスキャナ７と携帯型ラベルプリンタ８を準備する。そして、手順Ｐ１において、生産者が所持する１枚のラベルの二次元コードをハンディスキャナ７で読み取る。ハンディスキャナ７は、読み取った二次元コードに基づいて生産者情報およびバラの品種情報を特定する。
手順Ｐ２では、生産者は、ハンディスキャナ７を操作して手持ちの携帯型ラベルプリンタ８に対してラベル発行の要求を行う。携帯型ラベルプリンタ８は、ハンディスキャナ７と例えば近距離通信が可能であり、手順Ｐ３では、ラベル発行の要求によってハンディスキャナ７から送信される生産者情報および品種情報に基づいて、ラベルＬを発行する。
以上の手順によってラベルＬを追加発行することが可能である。
【００４０】
以上、本発明の情報処理システム、情報処理方法の一実施形態について詳細に説明したが、本発明の情報処理システム、情報処理方法は上記の実施形態に限定されない。また、上記の実施形態は、本発明の主旨を逸脱しない範囲において、種々の改良や変更が可能である。
【００４１】
例えば上述した実施形態では、読取装置としての撮像装置５がラベルを含む画像を取り込み、画像データを情報処理装置２へ送信する場合について説明したが、その限りではない。撮像装置５が二次元コードのデコード機能を備えている場合には、撮像装置５が画像を取り込んだ後に二次元コードのデコードを実行し、生産者情報と品種情報を特定し、当該情報を情報処理装置２へ送信するように構成してもよい。
【００４２】
上述した実施形態では、ラベルＬに予め、等級および階級の選択肢を示す文字又は記号（図６の例では、「秀」，「優」等の文字群）が印字されている場合について説明した。この場合には、生産者が目視で確認しながらいずれかの等級又はいずれかの階級にマークを付すため、マーキングの誤りが生じ難いという利点がある。しかし、等級および階級の選択肢を示す文字又は記号がラベルＬに印字されていなくてもよい。
例えば、図１０に示したのと同様に、生産者がマークを付すための枠のみが設けられていてもよい。すなわち、等級の場合で言えば、左側の枠内の領域が「秀」に対応し、右側の枠内の領域が「優」に対応していることが生産者に既知であれば、文字又は記号自体を各領域内に予め印字しなくてもよい。
【００４３】
上述した実施形態では、物品の量的情報（つまり、ラベルＬの第５行１０５に記載された本数の情報）を生産実績データベースに記録しない場合について説明したが、その限りではない。ラベルＬの本数について付されたマークを読み取って、等級および階級と同様に生産実績データベースに記録してもよい。
【００４４】
上述した実施形態では、生産者が予めラベルを発行する場合について説明したが、それに限られない。ラベルの代わりに他の印字媒体に印字して発行してもよい。他の印字媒体の例として、例えば、比較的大判の紙媒体、あるいは紙以外の媒体としてフィルム、布の媒体が挙げられる。
【符号の説明】
【００４５】
１…情報処理システム
２…情報処理装置
２０…制御部
２１…記憶部
２２…操作入力部
２２ａ…タッチパネル
２３…表示部
２４…通信インタフェース
３…ラベルプリンタ
４…リーダ
４１…読み取り部
５…撮像装置
６…生産者カード
７…ハンディスキャナ
８…携帯型ラベルプリンタ
１０…容器
５０…コンベア
１００…二次元コード
１０１〜１０５…行
Ｌ…ラベル
Ｍ１〜Ｍ３…マーク
Ｒ１１，Ｒ１２，Ｒ２１〜Ｒ２５…領域
【図１】
2018142255.tif 000003
【図２】
2018142255.tif 000004
【図３】
2018142255.tif 000005
【図４】
2018142255.tif 000006
【図５】
2018142255.tif 000007
【図６】
2018142255.tif 000008
【図７】
2018142255.tif 000009
【図８】
2018142255.tif 000010
【図９】
2018142255.tif 000011
【図１０】
2018142255.tif 000012
【図１１】
2018142255.tif 000013